(57)【要約】【課題】有害物が付着又は染み込んだ比重の異なる物体からなる混合物を安全に且つ環境汚染することなく、比重の大きいものと小さいものに分離し且つ洗浄できるようにすることである。【解決手段】有害物が付着又は染み込んだ比重の異なる物体１１，１２からなる混合物を、液中で分離・洗浄する方法であって、容器１の傾斜面に投入した混合物を洗浄液に浸すと共に、傾斜面Ｋに振動を与えることにより、混合物を洗浄しながら傾斜面の上部には比重の大きい物体を、傾斜面の下部には比重の小さい物体をそれぞれ移動させることを特徴とする。分離・洗浄装置は、洗浄液を流す樋状の容器を傾斜して設け、容器上方を混合物の投入位置とし、容器の振動装置を設ける。洗浄液を流す樋状の容器を傾斜して設ける代わりに、洗浄液を入れるケース状の容器の底に傾斜面を設ける。【選択図】      図１
2004255312.tif 000002
【特許請求の範囲】
【請求項１】
有害物が付着又は染み込んだ比重の異なる物体（１１，１２）からなる混合物を、液中で分離・洗浄する方法であって、
容器（１）の傾斜面に投入した混合物を洗浄液（１０）に浸すと共に、傾斜面（Ｋ）に振動を与えることにより、混合物を洗浄しながら傾斜面の上部には比重の大きい物体（１１）を、傾斜面の下部には比重の小さい物体（１２）をそれぞれ移動させることを特徴とする液中分離洗浄方法。
【請求項２】
有害物が付着又は染み込んだ比重の異なる物体（１１，１２）からなる混合物を、液中で分離・洗浄する装置であって、
洗浄液（１０）を流す樋状の容器（１）を傾斜して設け、容器上方を混合物の投入位置とし、容器の振動装置（４）を設け、洗浄液の流下作用と振動装置の振動作用により、容器の上部には比重の大きい物体（１１）を、容器の下部には比重の小さい物体（１２）を移動させることを特徴とする液中分離洗浄装置。
【請求項３】
洗浄液（１０）を流す樋状の容器（１）を傾斜して設ける代わりに、洗浄液（１０）を入れるケース状の容器（１）の底に傾斜面（Ｋ）を設けることを特徴とする請求項２記載の液中分離洗浄装置。
【発明の詳細な説明】
【０００１】
【発明の属する技術分野】
本発明は、有害物が付着又は染み込んだ比重の異なる物体からなる混合物を洗浄しながら物体ごとに分離する方法及び装置に関する。
【０００２】
【従来の技術】
混合物を分離する方法としては、混合物に空気流を作用させて、重量物と軽量物を分別する方法が知られている（例えば、特許文献１、２参照。）。
【０００３】
【特許文献１】
特開平５−２８５４５４号公報（第１頁、第１図）
【特許文献２】
特開２００２−１３６９２４号公報（第１頁、第１図）
【０００４】
【発明が解決しようとする課題】
しかし、混合物中に有害物（例えばＰＣＢ）が付着又は染み込んでいる場合に、空気流を作用させると、有害物が空気中に飛散することから、作業者の安全上や環境上、好ましくない。また、混合物を物体ごとに分離したとしても、その物体には有害物が付着等しているので、そのままでは再利用できず、別途、洗浄する手間がかかる。
【０００５】
そこで本発明の共通の解決課題は、有害物が付着又は染み込んだ比重の異なる物体からなる混合物を、安全に且つ環境汚染することなく、比重の大きいものと小さいものに分離し且つ洗浄できるようにすることである。
【０００６】
【課題を解決するための手段】
本発明が分離・洗浄する混合物は、有害物が付着又は染み込んだ比重の異なる物体からなるものである。
【０００７】
請求項１の発明の方法は、容器の傾斜面に投入した混合物を洗浄液に浸すと共に、傾斜面に振動を与えることにより、混合体を洗浄しながら傾斜面の上部には比重の大きい物体を、傾斜面の下部には比重の小さい物体をそれぞれ移動させることを特徴とする。
【０００８】
有害物とは、例えばＰＣＢが挙げられる。比重の大きい物体とは、例えば金属、陶磁器、或いはこれらの複合体である。比重の小さい物体とは、例えば紙、合成樹脂、繊維である。混合物の具体例としては、ＰＣＢ入り絶縁油を用いた変圧器のコイル（紙と銅線からなる）を破砕したものや、ＰＣＢ入り絶縁油を用いたコンデンサの素子（アルミ箔と絶縁紙を重ねた状態で折り畳んだもの）を破砕したもの等が挙げられる。
【０００９】
洗浄液は、有害物を洗浄する効果を有するものであれば良く、水に代表される水溶液も含まれるものとする。また、有害物よりも比重が小さいものを用いることが望ましい。傾斜面は、平面であっても良いし、その他の形状、例えばＵ字状に彎曲した面であっても良い。傾斜面の角度は、混合体が自重により自然と落下しない程度とする。
【００１０】
傾斜面による落下作用、振動によって比重の異なる物体間に生ずる慣性差、洗浄液の抵抗を受けて、混合体は、比重の大きいものと小さいものに分けられる。
【００１１】
請求項２の発明の装置は、洗浄液を流す樋状の容器を傾斜して設け、容器上方を混合物の投入位置とし、容器の振動装置を設け、洗浄液の流下作用と振動装置の振動作用により、容器の上部には比重の大きい物体を、容器の下部には比重の小さい物体を移動させることを特徴とする。
【００１２】
容器に洗浄液を注ぐ位置は、限定しないが、混合物が洗浄液の流下作用を受けやすくするには、混合物の投入位置よりも傾斜方向上側に位置することが望ましい。
【００１３】
洗浄液を流す樋状の容器を傾斜して設ける代わりに、請求項３の発明のように、洗浄液を入れるケース状の容器の底に傾斜面を設けても良い。
【００１４】
洗浄液が入った容器の上方から混合物を投入すれば、傾斜面に落下して、振動等の作用によって混合物は比重の小さいものと大きいものに分けられる。
【００１５】
この場合は、請求項２の発明と比べて、混合物が洗浄液中を落下して傾斜面に到達する間に、充分に洗浄されると共に、洗浄液の振動を受けて混合物の絡み合いがほぐれやすくなる。また、請求項２の発明と比べれば、容器の深さによる水圧を受けることによっても、混合物の絡み合いがほぐれやすくなる。
【００１６】
【発明の実施の形態】
本発明の液中分離洗浄装置の第一例は図１に示すように、傾斜する樋状の容器１と、容器１の傾斜方向中間部の上方に配置したホッパー２と、ホッパー２よりも上流側の上方に配置した洗浄液供給手段３と、容器１を振動させる振動装置４と、容器１の上端及び下端下方にそれぞれ配置した脱液装置５、６とから構成してある。
【００１７】
容器１は断面Ｕ字状で、そのＵ字部分全体が傾斜面Ｋとなっており、底には振動装置４が取り付けてある。振動装置４は、容器１を傾斜方向に振動させるものである。また、容器１はその底面を弾性部材７を介してフレーム８で支持し、弾性部材７によって振動を妨げないようにする。弾性部材７としては、例えばスプリングが挙げられる。
【００１８】
洗浄液供給手段３は、図示しないポンプからホース９を介して洗浄液１０を流すものである。
【００１９】
脱液装置５，６は、物体１１，１２と洗浄液１０を分離してそれぞれ回収するものである。比重の大きい物体１１は図面では四角形、比重の小さい物体１２は円形で示してある。比重の大きい物体用の脱液装置５は、洗濯機の脱水装置と同様に遠心力を利用して、物体１１と洗浄液１０を分離する。具体的には、外ケース１３の内側にドラム１４を、その鉛直方向を中心にして回転可能に設けると共に、外ケース１３の天井部に取込口１５を有し、ドラム１４の底に中央部が深い球面状の上げ底１６を固定してある。また、ドラム１４は、筒状の周壁と底を二重壁構造にすると共にその内部に液回収空間１７を設け、ドラム１４に入れた物体と洗浄液は、遠心力と底の球面形状によって外側に向かいながら上昇して内側の周壁に到達し、周壁にあけた小さい抜穴（図示省略）から洗浄液を液回収空間１７に取り込み、一方、物体１１は内側の周壁の上端を越えてドラム１４と外ケース１３の間を通過して回収される。
【００２０】
比重の小さい物体用の脱液装置６は、具体的には搾油機を用いる。凸形状の上型１８を外した状態で、凹形状の下型１９に比重の小さい物体１２を洗浄液１０ごと落下させて投入し、投入終了後に下型１９に上型１８を押し込むと、その圧力によって洗浄液１０のみが下型の抜穴２０から外部に排出される。一方、比重の小さい物体１２は抜穴２０を通過することなく下型１９内に留まる。なお、図面では抜穴２０を明確に示すために大きく書いてあるので、抜穴２０を物体が通過するように見える。
【００２１】
上述した第一例に使用する混合物は、各物体の大きさが揃っており（数ｍｍ程度）、比重の異なる物体同士が絡み合ってないものが適している。
【００２２】
第一例は以下の要領で使用する。まず、振動装置４を駆動して容器１を振動させると共に、洗浄液１０をホース９から容器１に流しておき、それから混合物をホッパー２から容器１上に投入する。すると、混合物が洗浄液１０に浸された状態となりながら、洗浄液１０の流れと容器１の振動によって、比重の小さい物体１２は大半の洗浄液１０と一緒に下流側に流れて容器１の傾斜方向下端から落下し、一方、比重の大きい物体１１は残りの洗浄液と一緒に上流側に移動して容器１の傾斜方向上端から落下する。落下した物体１１，１２は何れも洗浄液１０と一緒に脱液装置５，６にそのまま投入される。そして、各脱液装置５，６によって、洗浄液１０が物体１１，１２と分離される。
【００２３】
比重の小さい物体用の脱液装置５の別の例は図２に示すように、スクリューコンベヤ２１であって、図示しないフレームで筒体２２を傾斜して支持してあり、筒体２２の長手方向中間部分に供給ホッパー２３を内部に連通して設け、筒体２２内でスクリュー軸２４を回転可能に設けたものである。このようにすれば、洗浄液が筒体２２の傾斜下端から排出され、比重の小さい物体が筒体２２の傾斜上端から排出される。
【００２４】
本発明の液中分離洗浄装置の第二例は図３に示すように、洗浄液を入れるケース状の容器１の底に傾斜面Ｋを設け、傾斜面Ｋの下端に段差状に深い陥没部２５を有し、陥没部２５には籠状の回収ケース２６を配置し、流れ発生手段２７によって、傾斜面Ｋに沿って上方から下方に向かって洗浄液の流れを起こすことを特徴とする。
【００２５】
容器１は、洗浄液１０を入れて振動させるので、洗浄液１０が周囲に飛散しないように、蓋を被せることが望ましい。但し、蓋にはホッパーの真下部分と、傾斜面の上端部にそれぞれ抜穴をあけて、混合物の投入並びに比重の大きい物体の排出を妨げないようにする。
【００２６】
容器の振動装置４は、シリンダ２８を用い、ピストンロッド２９にリンク機構３０を連結し、リンク機構３０の先端を容器１の底に連結したもので、ピストンロッド２９の往復動で、容器１が傾斜方向に沿って振動する。
【００２７】
流れ発生手段２７は、ホース９から洗浄液１０を傾斜面に沿って下向きに供給することによって分離を促進するもので、容器１内の洗浄液をポンプで回収しつつ（図示省略）、その回収した洗浄液をホース９から供給する。
【００２８】
第二例に使用する混合物は、比重の異なる物体１１，１２同士が絡み合ってないもの、絡み合っているもの何れでもよく、大きさが数ｃｍ程度のものに適している。
【００２９】
上述した第二例は以下の要領で使用する。まず、容器１に洗浄液１０を予め入れておく。そして、混合物を傾斜面Ｋの上方から投入し、振動装置４を振動させる。そうすると、振動作用と洗浄液の抵抗を受けて、比重の小さい物体１２は傾斜面の下に移動して回収ケース２６に貯まり、一方、比重の大きい物体１１は傾斜面Ｋの上に移動し、傾斜面Ｋの上端から落下して脱液装置５に投入される。回収ケース２６を引き上げて、籠の網目から洗浄液１０を充分に落としてから、脱液装置６に入れる。そして、各脱液装置５，６で、物体１１，１２と洗浄液１０に分離される。
【００３０】
本発明は上記実施例に限定されない。例えば、各脱液装置５，６にて回収した洗浄液１０を、再度、容器１内に投入することによって、洗浄液１０の再利用を図ることもできる。
【００３１】
【発明の効果】
本発明は、傾斜面による落下作用と振動作用の相乗作用によって、比重の大きい物体と比重の小さい物体を分離する。そして、洗浄液に浸された状態で混合物に振動を与えるので、分離と有害物の洗浄が一挙に行われる。また、混合物が洗浄液に浸されているので、分離作業中に混合物中の有害物が空気中に飛散するのを防止でき、その結果、分離洗浄作業が安全にでき、環境に好適でもある。
【００３２】
請求項２の発明であれば、洗浄液の流下作用を利用することから、比重の小さい物体はその流下作用によって、迅速に落下する。従って、比重の異なる物体同士が絡み合ってない混合物を、分離するのに適している。
【００３３】
請求項３の発明であれば、容器内に入れた洗浄液の抵抗を受けることから、比重の異なる物体同士が絡み合っている混合物を、分離することもできる。
【図面の簡単な説明】
【図１】本発明の液中分離洗浄装置の第一例を示す断面図である。
【図２】脱液装置の別の例を示す断面図である。
【図３】本発明の液中分離洗浄装置の第二例を示す断面図である。
【符号の説明】
１  容器
４  振動装置
１０  洗浄液
１１  物体（比重の大きい物体）
１２  物体（比重の小さい物体）
Ｋ  傾斜面
【図１】
2004255312.tif 000003
【図２】
2004255312.tif 000004
【図３】
2004255312.tif 000005